(57)【特許請求の範囲】
【請求項１】
ネットワークであって、
ワイヤレス端末に関連し、前記ワイヤレス端末が前記ネットワークへの参加中にＩＰアドレスの割り当てを要求するかどうかを示す加入者データを格納するデータベースと、
前記ワイヤレス端末から前記ネットワークへの参加の要求を受信し、前記要求の受信に対応して、前記データベースに格納された前記加入者データを取り出し、前記データベースに格納された加入者データが、前記ワイヤレス端末の前記ネットワークへの参加中にＩＰアドレスを割り当てることを前記ワイヤレス端末が要求することを示すかどうかに基づいて、選択的に前記ワイヤレス端末にＩＰアドレスを割り当てるネットワークモジュールと
を備えるネットワーク。
【請求項２】
前記要求は、前記ワイヤレス端末の前記ネットワークへの参加中に前記ワイヤレス端末がＩＰアドレスの割り当てを要求するかどうかを示す指標を含まない、請求項１に記載のネットワーク。
【請求項３】
前記加入者データは、前記ワイヤレス端末の端末種類を含む、請求項１または請求項２に記載のネットワーク。
【請求項４】
前記端末種類は、統合型ワイヤレス端末および非統合型ワイヤレス端末の少なくとも１つを含む、請求項３に記載のネットワーク。
【請求項５】
前記データベースを含むホーム加入サーバをさらに含む、請求項１から請求項４のいずれか１つに記載のネットワーク。
【請求項６】
前記加入者データが、前記ワイヤレス端末の前記ネットワークへの参加中に前記ワイヤレス端末がＩＰアドレスの割り当てを要求することを示す場合、前記ネットワークモジュールは、前記要求に応答して前記ワイヤレス端末にＩＰアドレスを割り当てる、請求項１から請求項５のいずれか１つに記載のネットワーク。
【請求項７】
前記加入者データが、前記ワイヤレス端末の前記ネットワークへの参加中に前記ワイヤレス端末がＩＰアドレスの割り当てを要求することを示さない場合、前記ネットワークモジュールは、ＩＰアドレスが前記ワイヤレス端末に割り当てられなかったことを示す指標を提供する、請求項１から請求項６のいずれか１つに記載のネットワーク。
【請求項８】
前記ネットワークモジュールは、前記ワイヤレス端末の前記ネットワークへの参加中に前記ワイヤレス端末がＩＰアドレスの割り当てを要求するかどうかを示すベアラコンテクスト要求を、前記加入者データに基づいて生成する、請求項１から請求項７のいずれか１つに記載のネットワーク。
【請求項９】
前記ネットワークモジュールは、第３世代パートナシッププロジェクト（３ＧＰＰ）進化型ワイヤレスネットワークにおけるモビリティマネジメントエンティティ（ＭＭＥ）およびゲートウェイの少なくとも１つを含む、請求項１から請求項８のいずれか１つに記載のネットワーク。
【請求項１０】
ネットワークを動作させるための方法であって、
ワイヤレス端末に関連し、前記ワイヤレス端末の前記ネットワークへの参加中にＩＰアドレスの割り当てを前記ワイヤレス端末が要求するかどうかを示す加入者データを、データベースに格納する工程と、
前記ワイヤレス端末から、前記ネットワークへの参加の要求を、前記ネットワークで受信する工程と、
前記要求の受信に応答して、前記データベースに格納された前記加入者データを取り出し、前記データベースに格納された前記加入者データが、前記ネットワークへの参加中に前記ワイヤレス端末にＩＰアドレスの割り当てを前記ワイヤレス端末が要求することを示すかどうかに基づいて、前記ワイヤレス端末にＩＰアドレスを選択的に割り当てる工程と
を含む方法。
【請求項１１】
前記要求は、前記ワイヤレス端末の前記ネットワークへの参加中に前記ワイヤレス端末がＩＰアドレスの割り当てを要求するかどうかを示す指標を含まない、請求項１０に記載の方法。
【請求項１２】
前記加入者データは、前記ワイヤレス端末の端末種類を含む、請求項１０または請求項１１に記載の方法。
【請求項１３】
前記端末種類は、統合型ワイヤレス端末および非統合型ワイヤレス端末の少なくとも１つを含む、請求項１２に記載の方法。
【請求項１４】
前記ワイヤレス端末が割り当てを要求していることを前記加入者データが示す場合、前記ワイヤレス端末にＩＰアドレスを選択的に割り当てる工程は、前記ＩＰアドレスを前記ワイヤレス端末に割り当てる工程を含む、請求項１０から請求項１３のいずれか１つに記載の方法。
【請求項１５】
前記加入者データが、前記ワイヤレス端末の前記ネットワークへの参加中にＩＰアドレスの割り当てを前記ワイヤレス端末が要求することを示さない場合、ＩＰアドレスが前記ワイヤレス端末に割り当てられなかったことを示す指標を提供する工程をさらに含む、請求項１０から請求項１４のいずれか１つに記載の方法。
【請求項１６】
前記ワイヤレス端末の前記ネットワークへの参加中に前記ワイヤレス端末がＩＰアドレスの割り当てを要求するかどうかを示すベアラコンテクスト要求を、前記加入者データに基づいて生成する工程をさらに含む、請求項１０から請求項１５のいずれか１つに記載の方法。
【発明の詳細な説明】
【関連出願】
【０００１】
本願は、米国実用新案登録出願第１２／０５６，８３６号（出願日：２００８年３月２７日）および米国仮出願第６０／９０８，８２３号（出願日：２００７年３月２９日）に基づき優先権を主張する。これらの米国出願の内容はすべて、参照により本願に組み込まれる。
【技術分野】
【０００２】
本開示は、進化型ワイヤレスネットワークにおけるＩＰアドレス割り当てに関する。
【背景技術】
【０００３】
本明細書における「背景技術」の説明は、本開示内容がどのような状況の中で考案されているのかを概して説明するためになされる。本願において名前が挙げられている発明者による研究は、この「背景技術」部分で説明されている範囲内において、説明されていなければ出願時において先行技術としての基準を満たすものでない「背景技術」部分の内容と同様に、本開示内容に対する先行技術として、明示または黙示を問わず、認められない。
【０００４】
ワイヤレスネットワークにおいて（例えば、第３世代パートナーシッププロジェクト（３ＧＰＰ）進化型ワイヤレスネットワーク）、ワイヤレス端末は、参加手順によるワイヤレスネットワークへの参加を要求する場合がある。ワイヤレス端末には、３ＧＰＰワイヤレスネットワークにおけるユーザ装置（ＵＥ）が含まれるとしてよい。例えば、ワイヤレス端末は携帯電話を含むとしてよく、ワイヤレスネットワークは携帯電話会社のセルラー方式ネットワークであってよい。また、ワイヤレス端末はラップトップコンピュータまたはその他のモバイルコンピュータデバイスを含むとしてよく、ワイヤレスネットワークはローカルエリアネットワーク（ＬＡＮ）またはインターネットサービスプロバイダ（ＩＳＰ）であってよい。ワイヤレスネットワークは、参加手順実行中にワイヤレス端末にＩＰアドレスを割り当てる。
【０００５】
図１から図３には、参加手順を実施し得るワイヤレスネットワークの一例を示す。図１に示すように、ホームネットワーク１０２は、インターネット等の配信型通信システム１０４との間でパケットを送受信する。ワイヤレス端末１０６は、ホームネットワーク１０２にワイヤレス接続されている。図２に示すように、ホームネットワーク１０２は、１以上のビジタネットワーク１１０に接続されている。一例に過ぎないが、図２では３つのビジタネットワーク１１０−１、１１０−２、および１１０−３を図示している。さまざまな実装例によると、ビジタネットワーク１１０は、別の国のサービスプロバイダを含むほかのサービスプロバイダのネットワークであってよい。可動式ワイヤレス端末１２０は、可動性という特性を持ち、この特性によってビジタネットワーク１１０と通信可能となる。
【０００６】
図３は、ワイヤレス端末１０６にプロキシ可動性を与えるワイヤレス通信システムを示す機能ブロック図である。ホームネットワーク１５０は、ビジタネットワーク１６０−１、１６０−２、および１６０−３と通信する。ビジタネットワーク１６０は、可動性実現機能を持つように更新されていない、ワイヤレス端末１０６等のワイヤレス端末に対してユーザからは分からないように（トランスペアレントに）可動性を与える。
【０００７】
図１から図３を参照して上述したように、ワイヤレス端末は、ホームネットワーク１０２、ビジタネットワーク１１０、および／または可動性を持つビジタネットワーク１６０のうち１つとの間で、参加手順によって、リンクの構築を試みるとしてよい。ビジタネットワークおよび可動性を持つビジタネットワークに対する参加は、米国特許出願第１２／００９，７２５号（出願日：２００８年１月２２日）においてより詳細に説明されている。当該米国特許出願の内容は参照により本願に組み込まれる。
【０００８】
図４は、ワイヤレス端末１０６がネットワーク１０２に接続される場合（つまり、参加手順）に実行されるステップを時系列に示す図である。参加手順２００は、ワイヤレス端末１０６とネットワーク１０２が備える１以上のノードとの間の相互通信を含む。ネットワーク１０２が備える１以上のノードは、これらに限定されないが、ＭＭＥ（Ｍｏｂｉｌｉｔｙ  Ｍａｎａｇｅｍｅｎｔ  Ｅｎｔｉｔｙ）２０２、Ｓ−ＧＷ（Ｓｅｒｖｉｎｇ  Ｓｙｓｔｅｍ  Ａｒｃｈｉｔｅｃｔｕｒｅ  Ｅｖｏｌｕｔｉｏｎ（ＳＡＥ）  Ｇａｔｅｗａｙ）２０４、Ｐ−ＧＷ（Ｐａｃｋｅｔ  Ｄａｔａ  Ｎｅｔｗｏｒｋ（ＰＤＮ）ＳＡＥ  Ｇａｔｅｗａｙ）２０６、ＰＣＲＦ（Ｐｏｌｉｃｙ  ａｎｄ  Ｃｈａｒｇｉｎｇ  Ｒｕｌｅｓ  Ｆｕｎｃｔｉｏｎ）２０８、およびホーム加入者サーバ（ＨＳＳ）２１０等を含む。一例に過ぎないが、ワイヤレス端末１０６は、ＵＥデバイスおよびｅＮｏｄｅＢ（Ｅｖｏｌｖｅｄ  Ｎｏｄｅ  Ｂ）であるワイヤレス基地局を含むとしてよい。
【０００９】
ワイヤレス端末１０６は、ネットワーク１０２との間で、認証処理および識別処理を実行する。これらの処理では、ＡＡＡ（アクセス、認証、課金）サーバと通信するとしてよい。ワイヤレス端末１０６は、認証処理および識別処理において、ＭＭＥ２０２に参加要求を送信する。ＭＭＥ２０２は、ワイヤレス端末１０６の識別情報を要求し、ＨＳＳ２１０に対して識別情報を認証する。認証が完了すると、Ｐ−ＧＷ２０６が、ワイヤレス端末１０６にＩＰ（インターネットプロトコル）アドレスを割り当てて、参加要求を承認する。ワイヤレス端末１０６は、参加を完了する。参加手順２００には、ＩＰアドレス割り当てに関係のないネットワーク側で実行されるステップ、例えば、前のベアラコンテクスト要求をクリアするステップおよび位置を更新するステップ等が含まれる場合がある。
【発明の概要】
【課題を解決するための手段】
【００１０】
ネットワーキングシステムは、ネットワークに参加するべく、要求を送信する第１のワイヤレスネットワークモジュールと、第２のワイヤレスネットワークモジュールとを備える。第２のワイヤレスネットワークモジュールは、要求を受信して、要求に基づいて、第１のワイヤレスネットワークモジュールがＩＰアドレスを必要とするか否かを判断し、判断の結果に基づいて選択的に、第１のワイヤレスネットワークモジュールに対するＩＰアドレスの割り当てを実行する。
【００１１】
ほかの特徴によると、要求は、第１のワイヤレスネットワークモジュールがＩＰアドレスを必要とすることを示す指標を含む。第２のワイヤレスネットワークモジュールは、要求に基づいて、第１のワイヤレスネットワークモジュールにＩＰアドレスを割り当てる。要求は、ワイヤレスネットワークモジュールがＩＰアドレスを必要としないことを示す指標を含む。第２のワイヤレスネットワークモジュールは、第１のワイヤレスネットワークモジュールにＩＰアドレスを割り当てない。第１のワイヤレスネットワークモジュールは、ＩＰアドレスを受信することなく、ネットワークに参加する。第１のワイヤレスネットワークモジュールは、ネットワークに参加した後、第３のワイヤレスネットワークモジュールからＩＰアドレスを取得する。第１のワイヤレスネットワークモジュールは、第３のワイヤレスネットワークモジュールから取得したＩＰアドレスに基づいて、ベアラコンテクストを変更する。
【００１２】
ほかの特徴によると、第２のワイヤレスネットワークモジュールは、要求に基づいて、第１のワイヤレスネットワークモジュールに対応付けられている加入者データを取り出す。データベースが加入者データを格納している。第２のワイヤレスネットワークモジュールは、加入者データに基づいて、第１のワイヤレスネットワークモジュールにＩＰアドレスを割り当てるか否かを判断する。加入者データは、第１のワイヤレスネットワークモジュールが、統合型ワイヤレス端末および非統合型ワイヤレス端末のうちいずれであるか否かを指し示す。加入者データは、第１のワイヤレスネットワークモジュールは参加手順中にＩＰアドレスの割り当てを必要とするか否かを指し示す。
【００１３】
ほかの特徴によると、ネットワークは、第３世代パートナーシッププロジェクト（３ＧＰＰ）進化型ワイヤレスネットワークを含む。第１のワイヤレスネットワークモジュールは、携帯電話およびラップトップコンピュータのうち少なくとも１つを有する。第２のワイヤレスネットワークモジュールは、第３世代パートナーシッププロジェクト（３ＧＰＰ）進化型ワイヤレスネットワークにおけるＭＭＥ（Ｍｏｂｉｌｉｔｙ  Ｍａｎａｇｅｍｅｎｔ  Ｅｎｔｉｔｙ）、ゲートウェイ、ＨＳＳ（Ｈｏｍｅ  Ｓｕｂｓｃｒｉｂｅｒ  Ｓｅｒｖｅｒ）のうち少なくとも１つを有する。第２のワイヤレスネットワークモジュールは、第１のワイヤレスネットワークモジュールがＩＰアドレス割り当てを必要とするか否かを示すベアラコンテクスト要求を作成する。
【００１４】
ネットワーキングシステムは、ネットワークに参加するべく、要求を送信する第１のワイヤレスネットワーク手段と、要求を受信して、要求に基づいて、第１のワイヤレスネットワーク手段がＩＰアドレスを必要とするか否かを判断し、判断の結果に基づいて選択的に、第１のワイヤレスネットワーク手段に対するＩＰアドレスの割り当てを実行する第２のワイヤレスネットワーク手段とを備える。
【００１５】
ほかの特徴によると、要求は、第１のワイヤレスネットワーク手段がＩＰアドレスを必要とすることを示す指標を含む。第２のワイヤレスネットワーク手段は、要求に基づいて、第１のワイヤレスネットワーク手段にＩＰアドレスを割り当てる。要求は、第１のワイヤレスネットワーク手段がＩＰアドレスを必要としないことを示す指標を含む。第２のワイヤレスネットワーク手段は、第１のワイヤレスネットワーク手段にＩＰアドレスを割り当てない。第１のワイヤレスネットワーク手段は、ＩＰアドレスを受信することなく、ネットワークに参加する。第１のワイヤレスネットワーク手段は、ネットワークに参加した後、ＩＰアドレスを割り当てる第３のワイヤレスネットワーク手段からＩＰアドレスを取得する。第１のワイヤレスネットワーク手段は、第３のワイヤレスネットワーク手段から取得したＩＰアドレスに基づいて、ベアラコンテクストを変更する。
【００１６】
ほかの特徴によると、第２のワイヤレスネットワーク手段は、要求に基づいて、第１のワイヤレスネットワーク手段に対応付けられている加入者データを取り出す。データベースが加入者データを格納している。第２のワイヤレスネットワーク手段は、加入者データに基づいて、第１のワイヤレスネットワーク手段にＩＰアドレスを割り当てるか否かを判断する。加入者データは、第１のワイヤレスネットワーク手段が、統合型ワイヤレス端末および非統合型ワイヤレス端末のうちいずれであるか否かを指し示す。加入者データは、第１のワイヤレスネットワーク手段は参加手順中にＩＰアドレスの割り当てを必要とするか否かを指し示す。
【００１７】
ほかの特徴によると、ネットワークは、第３世代パートナーシッププロジェクト（３ＧＰＰ）進化型ワイヤレスネットワークを含む。第１のワイヤレスネットワーク手段は、携帯電話およびラップトップコンピュータのうち少なくとも１つを有する。第２のワイヤレスネットワーク手段は、第３世代パートナーシッププロジェクト（３ＧＰＰ）進化型ワイヤレスネットワークにおけるＭＭＥ（Ｍｏｂｉｌｉｔｙ  Ｍａｎａｇｅｍｅｎｔ  Ｅｎｔｉｔｙ）、ゲートウェイ、ＨＳＳ（Ｈｏｍｅ  Ｓｕｂｓｃｒｉｂｅｒ  Ｓｅｒｖｅｒ）のうち少なくとも１つを有する。第２のワイヤレスネットワーク手段は、第１のワイヤレスネットワーク手段がＩＰアドレス割り当てを必要とするか否かを示すベアラコンテクスト要求を作成する。
【００１８】
ネットワークを動作させるべくプロセッサによって利用されるコンピュータ読み出し可能媒体に格納されているコンピュータプログラムは、ネットワークに参加するべく、第１のワイヤレスネットワークモジュールから要求を送信することと、第２のワイヤレスネットワークモジュールで要求を受信することと、要求に基づいて、第１のワイヤレスネットワークモジュールがＩＰアドレスを必要とするか否かを判断することと、判断の結果に基づいて選択的に、第１のワイヤレスネットワークモジュールに対するＩＰアドレスの割り当てを実行することとを含む。
【００１９】
ほかの特徴によると、要求は、ワイヤレスネットワークモジュールがＩＰアドレスを必要とすることを示す指標を含む。コンピュータプログラムはさらに、要求に基づいて、第１のワイヤレスネットワークモジュールにＩＰアドレスを割り当てることを含む。要求は、ワイヤレスネットワークモジュールがＩＰアドレスを必要としないことを示す指標を含む。第１のワイヤレスネットワークモジュールには、ＩＰアドレスが割り当てられない。第１のワイヤレスネットワークモジュールは、ＩＰアドレスを受信することなく、ネットワークに参加する。第１のワイヤレスネットワークモジュールは、ネットワークに参加した後、第３のワイヤレスネットワークモジュールからＩＰアドレスを取得する。コンピュータプログラムはさらに、第３のワイヤレスネットワークモジュールから取得したＩＰアドレスに基づいて、ベアラコンテクストを変更することを含む。
【００２０】
ほかの特徴によると、コンピュータプログラムはさらに、要求に基づいて、第１のワイヤレスネットワークモジュールに対応付けられている加入者データを取り出すことを含む。コンピュータプログラムはさらに、データベースに加入者データを格納することを含む。コンピュータプログラムはさらに、加入者データに基づいて、第１のワイヤレスネットワークモジュールにＩＰアドレスを割り当てるか否かを判断することを含む。加入者データは、第１のワイヤレスネットワークモジュールが、統合型ワイヤレス端末および非統合型ワイヤレス端末のうちいずれであるか否かを指し示す。加入者データは、第１のワイヤレスネットワークモジュールは参加手順中にＩＰアドレスの割り当てを必要とするか否かを指し示す。
【００２１】
ほかの特徴によると、ネットワークは、第３世代パートナーシッププロジェクト（３ＧＰＰ）進化型ワイヤレスネットワークを含む。第１のワイヤレスネットワークモジュールは、携帯電話およびラップトップコンピュータのうち少なくとも１つを有する。第２のワイヤレスネットワークモジュールは、第３世代パートナーシッププロジェクト（３ＧＰＰ）進化型ワイヤレスネットワークにおけるＭＭＥ（Ｍｏｂｉｌｉｔｙ  Ｍａｎａｇｅｍｅｎｔ  Ｅｎｔｉｔｙ）、ゲートウェイ、ＨＳＳ（Ｈｏｍｅ  Ｓｕｂｓｃｒｉｂｅｒ  Ｓｅｒｖｅｒ）のうち少なくとも１つを有する。コンピュータプログラムはさらに、第１のワイヤレスネットワークモジュールがＩＰアドレス割り当てを必要とするか否かを示すベアラコンテクスト要求を作成することを含む。
【００２２】
さらに別の特徴によると、上述したシステムおよび方法は、１以上のプロセッサによって実行されるコンピュータプログラムによって実装される。コンピュータプログラムは、コンピュータ読み出し可能媒体に格納されるとしてよく、そのようなコンピュータ読み出し可能媒体は、これらに限定されないが、メモリ、不揮発性データストレージ、および／または、その他の適切な有形の記録媒体である。
【００２３】
本開示は上記以外の技術分野にも応用可能であり、そのような技術分野は詳細な説明および図面から明らかとなる。詳細な説明および具体例は、本開示を例示することのみを目的とし、本開示の範囲を限定するものではない。
【図面の簡単な説明】
【００２４】
本開示は、詳細な説明および添付図面からより深く理解されたい。添付図面は以下の通りである。
【００２５】
【図１】先行技術に係るワイヤレス通信システムを示す機能ブロック図である。
【００２６】
【図２】先行技術に係る、可動性を有するワイヤレス通信システムを示す機能ブロック図である。
【００２７】
【図３】先行技術に係る、ワイヤレス端末にプロキシ可動性を与えるワイヤレス通信システムを示す機能ブロック図である。
【００２８】
【図４】先行技術に係るワイヤレス端末参加手順を説明するための図である。
【００２９】
【図５】ワイヤレス端末がＩＰアドレス割り当てを必要とする、ワイヤレス端末参加手順を説明するための図である。
【００３０】
【図６】ワイヤレス端末がＩＰアドレス割り当てを必要としない、ワイヤレス端末参加手順を説明するための図である。
【００３１】
【図７】参加手順に含まれるステップを説明するためのフローチャートである。
【００３２】
【図８】加入者データに基づいてネットワークがＩＰアドレスを割り当てる、ワイヤレス端末参加手順を説明するための図である。
【００３３】
【図９】加入者データに基づいてネットワークがＩＰアドレスを割り当てる、ワイヤレス端末参加手順を説明するための図である。
【００３４】
【図１０】加入者データに基づく参加手順に含まれるステップを説明するためのフローチャートである。
【００３５】
【図１１Ａ】ハードディスクドライブを示す機能ブロック図である。
【００３６】
【図１１Ｂ】ＤＶＤドライブを示す機能ブロック図である。
【００３７】
【図１１Ｃ】高精細テレビを示す機能ブロック図である。
【００３８】
【図１１Ｄ】車両を示す機能ブロック図である。
【００３９】
【図１１Ｅ】セルラー方式携帯電話を示す機能ブロック図である。
【００４０】
【図１１Ｆ】セットトップボックスを示す機能ブロック図である。
【００４１】
【図１１Ｇ】モバイル機器を示す機能ブロック図である。
【発明を実施するための形態】
【００４２】
以下の説明は、本質的に例示に過ぎず、本開示、その応用または利用を限定するものではない。分かりやすく説明することを目的として、複数の図面にわたって同じ参照番号を用いて同様の構成要素を特定する。本明細書では、「Ａ、Ｂ、およびＣのうち少なくとも１つ」という表現は、（Ａ  ｏｒ  Ｂ  ｏｒ  Ｃ）の論理演算、つまり、非排他的ＯＲを意味するものと解釈されたい。方法に含まれる複数のステップは、本開示の原理を変えることなく、異なる順序で実行されるとしてもよいし、または、同時に実行されるとしてもよい。
【００４３】
本明細書では、「モジュール」という用語は、特定用途向け集積回路（ＡＳＩＣ）、電子回路、１以上のソフトウェアまたはファームウェアプログラムを実行するプロセッサ（共有、専用、または群）およびメモリ、組み合わせ論理回路、ならびに／あるいは、本明細書で説明される機能を実現するその他の適切な素子を意味する。
【００４４】
ワイヤレス端末には、例えば３ＧＰＰ進化型ワイヤレスネットワークでは、端末の種類に関わらず、参加手順において自動的にＩＰアドレスが割り当てられる。ワイヤレスネットワークに参加するワイヤレス端末には、例えば、統合型端末および非統合型端末が含まれるとしてよい。統合型端末は、例えば、参加手順中にＩＰアドレス割り当てを必要とするセルラー方式携帯電話を含む。非統合型端末は、例えば、ワイヤレスモジュール（例えば、ＰＣＭＣＩＡカード）を備えるラップトップコンピュータを含む。非統合型端末は、参加手順が完了した後で、別の割り当て方法、例えば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ：動的ホスト設定プロトコル）によって、ＩＰアドレス割り当てを実行する必要があるとしてよい。
【００４５】
非統合型ワイヤレス端末は、ワイヤレスネットワークに参加すると、参加手順において自動的にＩＰアドレスを受信する。例えば、ワイヤレスネットワークは通常、参加手順においてワイヤレス端末の種類を区別せず、参加要求に応じてＩＰアドレスを自動的に割り当てる。非統合型ワイヤレス端末のオペレーティングシステムは、割り当てられたＩＰアドレスを認識せず、別の方法で別のＩＰアドレスを取得し得る。このため、非統合型ワイヤレス端末は２つのＩＰアドレスを受信することになる。
【００４６】
一実装例に係る参加手順において、ワイヤレスネットワークは、ワイヤレス端末の種類に基づいて選択的にワイヤレス端末にＩＰアドレスを割り当てる。このような実装例によると、ワイヤレスネットワークは、自動的にワイヤレス端末にＩＰアドレスを割り当てるのではなく、参加手順中に、ワイヤレス端末がＩＰアドレスを必要としているか否かを判断し、判断結果に応じて選択的にＩＰアドレス割り当てを実行する。このため、複数のＩＰアドレスが同一ワイヤレス端末に割り当てられる事態が回避される。
【００４７】
図５は、一実装例に係る参加手順３００を示す。ワイヤレス端末３０２等のワイヤレスネットワークモジュールが、さまざまなネットワークモジュール、例えば、ＭＭＥ３０６、Ｓ−ＧＷ３０８、Ｐ−ＧＷ３１０、ＰＣＲＦ３１２、およびＨＳＳ３１４等を備えるネットワーク３０４に対する参加を試みる。ネットワーク３０４は、外部ＩＰアドレス割り当てノード３１６を備えるとしてよい。ワイヤレス端末３０２は、ＭＭＥ３０６に対して参加要求（つまり、参加要求を含むデータパケット）を送信する。一実装例によると、参加要求は、ワイヤレス端末３０２が参加手順３００においてＩＰアドレス割り当てを必要とするか否かを示す指標を含む。図示されているように、ワイヤレス端末３０２は、参加要求に、ＩＰアドレス割り当てに対する要求を含める。例えば、参加要求は、データパケットを含むとしてよく、当該データパケットは、ＩＰアドレス割り当てに対する要求に対応付けられているフィールドを含むとしてよい。この実装例によると、図示されているように、ワイヤレス端末３０２は、参加手順３００中にＩＰアドレス割り当てを必要とする統合型端末を含むとしてよい。
【００４８】
認証が完了すると、ＩＰアドレスがワイヤレス端末３０２に割り当てられる。例えば、ＭＭＥ３０６は、Ｐ−ＧＷ３１０に対して、ワイヤレス端末３０２がＩＰアドレスを必要としていることを指し示すベアラコンテクスト作成要求（例えば、ベアラコンテクスト作成要求を含むデータパケット）を送信するとしてよい。これに応じて、Ｐ−ＧＷ３１０は、ワイヤレス端末３０２にＩＰアドレスを割り当てて、ベアラコンテクスト作成応答（例えば、ベアラコンテクスト作成応答を含むデータパケット）をＭＭＥ３０６に送信する。ＭＭＥ３０６は、ワイヤレス端末３０２に対して、割り当てられたＩＰアドレスを含む参加受諾（例えば、参加受諾を含むデータパケット）を送信する。ワイヤレス端末３０２は、参加を完了する。ワイヤレス端末３０２は、参加手順３００中にＩＰアドレスを要求して受信するので、参加手順３００後にはほかの方法によるＩＰアドレスの割り当てを要求しない。例えば、ワイヤレス端末３０２は、外部ＩＰアドレス割り当てノード３１６に対してＩＰアドレスを要求しない。
【００４９】
図６は、ワイヤレス端末３０２がＩＰアドレス割り当てを必要としない非統合型端末を含む場合の参加手順４００を示す。ワイヤレス端末３０２は、ＭＭＥ３０６に対して参加要求を送信する。一実装例によると、参加要求は、ワイヤレス端末３０２が参加手順４００においてＩＰアドレス割り当てを必要とするか否かを示す指標を含む。図示されているように、ワイヤレス端末３０２は、参加要求において、ＩＰアドレス割り当てが必要ないことを示す。
【００５０】
認証が完了しても、ネットワーク３０４はワイヤレス端末３０２にＩＰアドレスを割り当てない。例えば、ＭＭＥ３０６は、Ｐ−ＧＷ３１０に対して、ワイヤレス端末３０２がＩＰアドレスを必要としていないことを指し示すベアラコンテクスト作成要求を送信するとしてよい。これに応じて、Ｐ−ＧＷ３１０は、ワイヤレス端末３０２にＩＰアドレスが割り当てられていないことを示す、ベアラコンテクスト作成応答をＭＭＥ３０６に送信する。ＭＭＥ３０６は、ワイヤレス端末３０２に対して参加受諾を送信する。参加受諾は、参加手順４００後にＩＰアドレスを取得する際にワイヤレス端末３０２が必要とする任意の追加情報を含むとしてよい。ワイヤレス端末３０２は、参加を完了する。
【００５１】
参加手順後、ワイヤレス端末３０２は独自にＩＰアドレスを取得する。例えば、ワイヤレス端末３０２は、外部ＩＰアドレス割り当てノード３１６と通信して、ＩＰアドレスを取得するとしてよい。
【００５２】
図５に図示するように、ネットワーク３０４はＩＰアドレスをワイヤレス端末３０２に割り当てる。この結果、ネットワーク３０４は、ワイヤレス端末３０２のＩＰアドレスを知っていることになる。逆に、ワイヤレス端末３０２が外部ＩＰアドレス割り当てノード３１６を介してＩＰアドレスを取得する場合は、ネットワーク３０４はワイヤレス端末３０２のＩＰアドレスを知らないことになる。図６に示すように、ワイヤレス端末３０２は、Ｐ−ＧＷ３１０との間でベアラコンテクスト変更ステップを開始して、ワイヤレス端末３０２のＩＰアドレスをネットワークに通知するとしてよい。
【００５３】
図７を参照して説明すると、ネットワーク３０４に参加する方法４５０は、ステップ４５２で開始される。ステップ４５４において、ワイヤレス端末３０２は、ネットワーク３０４に、ＩＰ割り当て優先度を含む参加要求を送信する。ステップ４５６において、ネットワーク３０４は、ワイヤレス端末３０２が参加手順中にＩＰ割り当てを必要とするか否かを判断する。必要とする場合には、方法４５０はステップ４５８に進む。必要としない場合には、方法４５０はステップ４６０に進む。
【００５４】
ステップ４５８において、ネットワーク３０４は、ワイヤレス端末３０２にＩＰアドレスを割り当てる。ステップ４６０において、ネットワーク３０４は、参加を承諾する。ステップ４６２において、ワイヤレス端末３０２は参加を完了する。ステップ４６４において、ワイヤレス端末３０２は、参加手順中にネットワーク３０４がＩＰアドレスを割り当てたか否かを判断する。割り当てていれば、方法４５０はステップ４６６に進む。割り当てていなければ、方法４５０はステップ４６８に進む。ステップ４６８において、ワイヤレス端末３０２は、別の方法によってＩＰアドレスを取得する。例えば、外部ＩＰアドレス割り当てノード３１６からＩＰアドレスを取得する。ステップ４７０において、ワイヤレス端末３０２は、取得したＩＰアドレスを用いてベアラコンテクストを変更する。当該方法は、ステップ４６６で終了する。
【００５５】
図８を参照しつつ説明すると、ワイヤレス端末３０２は、参加手順５００中にＩＰアドレス割り当てが必要か否かを指定しない。これに代えて、ネットワーク３０４が、ワイヤレス端末３０２の属性を示すデータ（例えば、加入者データベースに格納される加入者データ）を格納するとしてよい。例えば、加入者データは、これに限定されないが、ワイヤレス端末３０２の端末種類、および、ワイヤレス端末３０２がＩＰアドレス割り当てを必要とするか否かを示す指標を含むとしてよい。一例に過ぎないが、ＨＳＳ３１４が加入者データベースを有するとしてよい。
【００５６】
ワイヤレス端末３０２は、ＭＭＥ３０６に参加要求を送信する。参加要求は、参加手順５００中にワイヤレス端末３０２がＩＰアドレス割り当てを必要とするか否かを指し示す指標を含まないとしてよい。図示されているように、ワイヤレス端末３０２は、参加要求にＩＰアドレス割り当て要求を含めない。
【００５７】
認証が完了すると、ネットワーク３０４は（例えば、ＨＳＳ３１４を介して）加入者データベースからワイヤレス端末３０２に対応付けられている加入者データを取り出して、当該加入者データをＭＭＥ３０６に送信する。図示されているように、ワイヤレス端末３０２の加入者データは、ワイヤレス端末３０２が参加手順５００中にＩＰアドレス割り当てを必要とすることを示している。これに応じて、ＭＭＥ３０６は、Ｐ−ＧＷ３１０に対して、加入者データに基づいて、ワイヤレス端末３０２がＩＰアドレスを必要としていることを指し示すベアラコンテクスト作成要求を送信するとしてよい。Ｐ−ＧＷ３１０は、ワイヤレス端末３０２にＩＰアドレスを割り当てて、ベアラコンテクスト作成応答をＭＭＥ３０６に送信する。ＭＭＥ３０６は、ワイヤレス端末３０２に対して、割り当てられたＩＰアドレスを含む参加受諾を送信する。ワイヤレス端末３０２は、参加を完了する。ワイヤレス端末３０２は、参加手順５００中にＩＰアドレスを要求して受信するので、参加手順５００後にはほかの方法によるＩＰアドレスの割り当てを要求しない。
【００５８】
図９を参照しつつ説明すると、ワイヤレス端末３０２は、参加手順６００中にＩＰアドレス割り当てを必要とするか否かを指定しない。ワイヤレス端末３０２は、ＭＭＥ３０６に参加要求を送信する。参加要求は、参加手順６００中においてワイヤレス端末３０２がＩＰアドレス割り当てを必要とするか否かを指し示す指標を含まないとしてよい。図示されているように、ワイヤレス端末３０２は、参加要求にＩＰアドレス割り当て要求を含めない。
【００５９】
認証が完了すると、ネットワーク３０４は（例えば、ＨＳＳ３１４を介して）加入者データベースからワイヤレス端末３０２に対応付けられている加入者データを取り出して、当該加入者データをＭＭＥ３０６に送信する。図示されているように、ワイヤレス端末３０２の加入者データは、ワイヤレス端末３０２が参加手順６００中にＩＰアドレス割り当てを必要としないことを示している。これに応じて、ＭＭＥ３０６は、Ｐ−ＧＷ３１０に対して、加入者データに基づいて、ワイヤレス端末３０２がＩＰアドレスを必要としないことを指し示すベアラコンテクスト作成要求を送信するとしてよい。Ｐ−ＧＷ３１０は、ワイヤレス端末３０２にＩＰアドレスを割り当てていないことを示すベアラコンテクスト作成応答をＭＭＥ３０６に送信する。ＭＭＥ３０６は、ワイヤレス端末３０２に対して、参加受諾を送信する。参加受諾は、参加手順６００後にＩＰアドレスを取得する際にワイヤレス端末３０２が必要とする任意の追加情報を含むとしてよい。ワイヤレス端末３０２は、参加を完了する。
【００６０】
参加手順後、ワイヤレス端末３０２は独自にＩＰアドレスを取得する。例えば、ワイヤレス端末３０２は、外部ＩＰアドレス割り当てノード３１６と通信して、ＩＰアドレスを取得するとしてよい。ワイヤレス端末３０２は、Ｐ−ＧＷ３１０との間でベアラコンテクスト変更ステップを開始して、ワイヤレス端末３０２のＩＰアドレスをネットワークに通知するとしてよい。
【００６１】
図１０を参照して説明すると、ネットワーク３０４に参加する方法６５０は、ステップ６５２で開始される。ステップ６５４において、ワイヤレス端末３０２は、ネットワーク３０４に、ＩＰ割り当て優先度を含まない参加要求を送信する。ステップ６５６において、ネットワーク３０４は、加入者データに基づいて、ワイヤレス端末３０２が参加手順中にＩＰ割り当てを必要とするか否かを判断する。必要とする場合には、方法６５０はステップ６５８に進む。必要としない場合には、方法６５０はステップ６６０に進む。
【００６２】
ステップ６５８において、ネットワーク３０４は、ワイヤレス端末３０２にＩＰアドレスを割り当てる。ステップ６６０において、ネットワーク３０４は、参加を承諾する。ステップ６６２において、ワイヤレス端末３０２は参加を完了する。ステップ６６４において、ワイヤレス端末３０２は、参加手順中にネットワーク３０４がＩＰアドレスを割り当てたか否かを判断する。割り当てていれば、方法６５０はステップ６６６に進む。割り当てていなければ、方法６５０はステップ６６８に進む。ステップ６６８において、ワイヤレス端末３０２は、別の方法によってＩＰアドレスを取得する。例えば、外部ＩＰアドレス割り当てノード３１６からＩＰアドレスを取得する。ステップ６７０において、ワイヤレス端末３０２は、取得したＩＰアドレスを用いてベアラコンテクストを変更する。当該方法は、ステップ６６６で終了する。
【００６３】
図１１Ａから図１１Ｇは、本開示の教示内容が組み込まれたさまざまな実装例を示す図である。
【００６４】
図１１Ａを参照しつつ説明すると、本開示の教示内容は、ハードディスクドライブ（ＨＤＤ）８００のＩ／Ｏインターフェース８１５において実装され得る。ＨＤＤ８００は、ハードディスクアセンブリ（ＨＤＡ）８０１と、ＨＤＤプリント配線基板（ＰＣＢ）８０２とを備える。ＨＤＡ８０１は、データを格納する１以上のプラッタ等の磁気媒体８０３と、読み書きデバイス８０４とを有するとしてよい。読み書きデバイス８０４は、アクチュエータアーム８０５上に配置され、磁気媒体８０３に対してデータの読み書きを行うとしてよい。さらに、ＨＤＡ８０１は、磁気媒体８０３を回転させるスピンドルモータ８０６と、アクチュエータアーム８０５を作動させるボイスコイルモータ（ＶＣＭ）８０７とを有する。プリアンプデバイス８０８は、読出動作においては読み書きデバイス８０４が生成する信号を増幅し、書込動作においては読み書きデバイス８０４に信号を与える。
【００６５】
ＨＤＤ  ＰＣＢ８０２は、読み書きチャネルモジュール（以下では、「読出チャネル」と呼ぶ）８０９と、ハードディスクコントローラ（ＨＤＣ）モジュール８１０と、バッファ８１１と、不揮発性メモリ８１２と、プロセッサ８１３と、スピンドル／ＶＣＭドライバモジュール８１４とを有する。読出チャネル８０９は、プリアンプデバイス８０８との間で送受信するデータを処理する。ＨＤＣモジュール８１０は、ＨＤＡ８０１の各構成要素を制御し、Ｉ／Ｏインターフェース８１５を介して外部デバイス（不図示）と通信する。外部デバイスには、コンピュータ、マルチメディアデバイス、モバイルコンピュータデバイス等が含まれるとしてよい。Ｉ／Ｏインターフェース８１５は、有線通信リンクおよび／または無線通信リンクを含むとしてよい。
【００６６】
ＨＤＣモジュール８１０は、ＨＤＡ８０１、読出チャネル８０９、バッファ８１１、不揮発性メモリ８１２、プロセッサ８１３、スピンドル／ＶＣＭドライバモジュール８１４、および／または、Ｉ／Ｏインターフェース８１５からデータを受信するとしてよい。プロセッサ８１３は、当該データを処理するとしてよい。そのような処理には、符号化、復号化、フィルタリング、および／またはフォーマッティングが含まれる。処理されたデータは、ＨＤＡ８０１、読出チャネル８０９、バッファ８１１、不揮発性メモリ８１２、プロセッサ８１３、スピンドル／ＶＣＭドライバモジュール８１４、および／または、Ｉ／Ｏインターフェース８１５に出力されるとしてよい。
【００６７】
ＨＤＣモジュール８１０は、バッファ８１１および／または不揮発性メモリ８１２を用いて、ＨＤＤ８００の制御および動作に関するデータを格納するとしてよい。バッファ８１１には、ＤＲＡＭ、ＳＲＡＭ等が含まれるとしてよい。不揮発性メモリ８１２には、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。スピンドル／ＶＣＭドライバモジュール８１４は、スピンドルモータ８０６およびＶＣＭ８０７を制御する。ＨＤＤ  ＰＣＢ８０２は、ＨＤＤ８００の各構成要素に電力を供給する電源８１６を有する。
【００６８】
図１１Ｂを参照しつつ説明すると、本開示の教示内容は、ＤＶＤドライブ８１８またはＣＤドライブ（不図示）のＩ／Ｏインターフェース８２９において実装され得る。ＤＶＤドライブ８１８は、ＤＶＤ  ＰＣＢ８１９と、ＤＶＤアセンブリ（ＤＶＤＡ）８２０とを備える。ＤＶＤ  ＰＣＢ８１９は、ＤＶＤ制御モジュール８２１と、バッファ８２２と、不揮発性メモリ８２３と、プロセッサ８２４と、スピンドル／ＦＭ（フィードモータ）ドライバモジュール８２５と、アナログフロントエンドモジュール８２６と、書込ストラテジモジュール８２７と、ＤＳＰモジュール８２８を有する。
【００６９】
ＤＶＤ制御モジュール８２１は、ＤＶＤＡ８２０の各構成要素を制御し、Ｉ／Ｏインターフェース８２９を介して外部デバイス（不図示）と通信する。外部デバイスには、コンピュータ、マルチメディアデバイス、モバイルコンピュータデバイス等が含まれるとしてよい。Ｉ／Ｏインターフェース８２９は、有線通信リンクおよび／または無線通信リンクを含むとしてよい。
【００７０】
ＤＶＤ制御モジュール８２１は、バッファ８２２、不揮発性メモリ８２３、プロセッサ８２４、スピンドル／ＦＭドライバモジュール８２５、アナログフロントエンドモジュール８２６、書込ストラテジモジュール８２７、ＤＳＰモジュール８２８、および／または、Ｉ／Ｏインターフェース８２９からデータを受信するとしてよい。プロセッサ８２４は、当該データを処理するとしてよい。そのような処理には、符号化、復号化、フィルタリング、および／またはフォーマッティングが含まれる。ＤＳＰモジュール８２８は、ビデオ符号化／復号化、および／または、オーディオ符号化／復号化等の信号処理を実行する。処理されたデータは、バッファ８２２、不揮発性メモリ８２３、プロセッサ８２４、スピンドル／ＦＭドライバモジュール８２５、アナログフロントエンドモジュール８２６、書込ストラテジモジュール８２７、ＤＳＰモジュール８２８、および／または、Ｉ／Ｏインターフェース８２９に出力されるとしてよい。
【００７１】
ＤＶＤ制御モジュール８２１は、バッファ８２２および／または不揮発性メモリ８２３を用いて、ＤＶＤドライブ８１８の制御および動作に関するデータを格納するとしてよい。バッファ８２２には、ＤＲＡＭ、ＳＲＡＭ等が含まれるとしてよい。不揮発性メモリ８２３には、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ＤＶＤ  ＰＣＢ８１９は、ＤＶＤドライブ８１８の各構成要素に電力を供給する電源８３０を有する。
【００７２】
ＤＶＤＡ８２０は、プリアンプデバイス８３１と、レーザドライバ８３２と、光学デバイス８３３とを有するとしてよい。光学デバイス８３３は、光学読み書き（ＯＲＷ）デバイスまたは光学読出（ＯＲ）デバイスであってよい。スピンドルモータ８３４は、光学格納媒体８３５を回転させ、フィードモータ８３６は、光学格納媒体８３５に対して相対的に光学デバイス８３３を作動させる。
【００７３】
光学格納媒体８３５からデータを読み出す場合には、レーザドライバは光学デバイス８３３に読出電力を供給する。光学デバイス８３３は、光学格納媒体８３５からデータを検出して、当該データをプリアンプデバイス８３１に送信する。アナログフロントエンドモジュール８２６は、プリアンプデバイス８３１からデータを受信して、フィルタリングおよびＡ／Ｄ変換等の処理を実行する。光学格納媒体８３５に対して書込を実行する場合は、書込ストラテジモジュール８２７がレーザドライバ８３２に対して電力レベルおよびタイミングデータを送信する。レーザドライバ８３２は、光学デバイス８３３を制御して、光学格納媒体８３５に対してデータを書き込む。
【００７４】
図１１Ｃを参照しつつ説明すると、本開示の教示内容は、高精細テレビ（ＨＤＴＶ）８３７のネットワークインターフェース８４３において実装され得る。ＨＤＴＶ８３７は、ＨＤＴＶ制御モジュール８３８と、ディスプレイ８３９と、電源８４０と、メモリ８４１と、ストレージデバイス８４２と、ネットワークインターフェース８４３と、外部インターフェース８４５とを備える。ネットワークインターフェース８４３がワイヤレスローカルエリアネットワークインターフェースを含む場合、アンテナ（不図示）が設けられるとしてよい。
【００７５】
ＨＤＴＶ８３７は、ケーブル、ブロードバンドインターネット、および／または衛星を介してデータの送受信を行う、外部インターフェース８４５および／またはネットワークインターフェース８４３から入力信号を受信するとしてよい。ＨＤＴＶ制御モジュール８３８は、当該入力信号に対して符号化、復号化、フィルタリング、および／またはフォーマッティング等の処理を実行して、出力信号を生成するとしてよい。出力信号は、ディスプレイ８３９、メモリ８４１、ストレージデバイス８４２、ネットワークインターフェース８４３、および外部インターフェース８４５のうち１以上の構成要素に与えられるとしてよい。
【００７６】
メモリ８４１は、ランダムアクセスメモリ（ＲＡＭ）および／または不揮発性メモリを含むとしてよい。不揮発性メモリには、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ストレージデバイス８４２は、ＤＶＤドライブ等の光学ストレージドライブ、および／または、ハードディスクドライブ（ＨＤＤ）を含むとしてよい。ＨＤＴＶ制御モジュール８３８は、ネットワークインターフェース８４３および／または外部インターフェース８４５を介して、外部と通信する。電源８４０は、ＨＤＴＶ８３７の各構成要素に対して電力を供給する。
【００７７】
図１１Ｄを参照しつつ説明すると、本開示の教示内容は、車両８４６のネットワークインターフェース８５２において実装され得る。車両８４６は、車両制御システム８４７と、電源８４８と、メモリ８４９と、ストレージデバイス８５０と、ネットワークインターフェース８５２とを有するとしてよい。ネットワークインターフェース８５２がワイヤレスローカルエリアネットワークインターフェースを含む場合、アンテナ（不図示）が設けられるとしてよい。車両制御システム８４７は、パワートレイン制御システム、車体制御システム、エンターテインメント制御システム、アンチロックブレーキングシステム（ＡＢＳ）、ナビゲーションシステム、テレマチックスシステム、車線逸脱防止システム、車間距離適応走行制御システム等であってよい。
【００７８】
車両制御システム８４７は、１以上のセンサ８５４と通信して、１以上の出力信号８５６を生成するとしてよい。センサ８５４には、温度センサ、加速度センサ、圧力センサ、回転センサ、気流センサ等が含まれるとしてよい。出力信号８５６は、エンジン操作パラメータ、トランスミッション操作パラメータ、サスペンションパラメータ、ブレーキングパラメータ等を制御するとしてよい。
【００７９】
電源８４８は、車両８４６の各構成要素に電力を供給する。車両制御システム８４７は、メモリ８４９および／またはストレージデバイス８５０にデータを格納するとしてよい。メモリ８４９は、ランダムアクセスメモリ（ＲＡＭ）および／または不揮発性メモリを含むとしてよい。不揮発性メモリには、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ストレージデバイス８５０は、ＤＶＤドライブ等の光学ストレージドライブ、および／または、ハードディスクドライブ（ＨＤＤ）を含むとしてよい。車両制御システム８４７は、ネットワークインターフェース８５２を用いて外部と通信するとしてよい。
【００８０】
図１１Ｅを参照しつつ説明すると、本開示の教示内容は、セルラー方式携帯電話８５８のセルラー方式ネットワークインターフェース８６７および／またはネットワークインターフェース８６８において実装され得る。携帯電話８５８は、電話制御モジュール８６０と、電源８６２と、メモリ８６４と、ストレージデバイス８６６と、セルラー方式ネットワークインターフェース８６７とを備える。携帯電話８５８は、ネットワークインターフェース８６８と、マイクロフォン８７０と、スピーカおよび／または出力ジャック等のオーディオ出力８７２と、ディスプレイ８７４と、キーパッドおよび／またはポインティングデバイス等のユーザ入力デバイス８７６とを備えるとしてよい。ネットワークインターフェース８６８がワイヤレスローカルエリアネットワークインターフェースを含む場合、アンテナ（不図示）が設けられるとしてよい。
【００８１】
電話制御モジュール８６０は、セルラー方式ネットワークインターフェース８６７、ネットワークインターフェース８６８、マイクロフォン８７０、および／またはユーザ入力デバイス８７６から入力信号を受信するとしてよい。電話制御モジュール８６０は、当該入力信号に対して符号化、復号化、フィルタリング、および／またはフォーマッティング等の処理を実行して、出力信号を生成するとしてよい。出力信号は、メモリ８６４、ストレージデバイス８６６、セルラー方式ネットワークインターフェース８６７、ネットワークインターフェース８６８、およびオーディオ出力８７２のうち１以上の構成要素に与えられるとしてよい。
【００８２】
メモリ８６４は、ランダムアクセスメモリ（ＲＡＭ）および／または不揮発性メモリを含むとしてよい。不揮発性メモリには、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ストレージデバイス８６６は、ＤＶＤドライブ等の光学ストレージドライブ、および／または、ハードディスクドライブ（ＨＤＤ）を含むとしてよい。電源８６２は、携帯電話８５８の各構成要素に対して電力を供給する。
【００８３】
図１１Ｆを参照しつつ説明すると、本開示の教示内容は、セットトップボックス８７８のネットワークインターフェース８８５において実装され得る。セットトップボックス８７８は、セットトップボックス制御モジュール８８０と、ディスプレイ８８１と、電源８８２と、メモリ８８３と、ストレージデバイス８８４と、ネットワークインターフェース８８５とを備える。ネットワークインターフェース８８５がワイヤレスローカルエリアネットワークインターフェースを含む場合、アンテナ（不図示）が設けられるとしてよい。
【００８４】
セットトップボックス制御モジュール８８０は、ケーブル、ブロードバンドインターネット、および／または衛星を介してデータの送受信を行う、外部インターフェース８８７およびネットワークインターフェース８８５から入力信号を受信するとしてよい。セットトップボックス制御モジュール８８０は、当該入力信号に対して符号化、復号化、フィルタリング、および／またはフォーマッティング等の処理を実行して、出力信号を生成するとしてよい。当該出力信号は、標準フォーマットおよび／または高精細フォーマットのオーディオ信号および／またはビデオ信号を含むとしてよい。出力信号は、ネットワークインターフェース８８５、および／または、ディスプレイ８８１に与えられるとしてよい。ディスプレイ８８１は、テレビ、プロジェクタ、および／またはモニタを含むとしてよい。
【００８５】
電源８８２は、セットトップボックス８７８の各構成要素に電力を供給する。メモリ８８３は、ランダムアクセスメモリ（ＲＡＭ）および／または不揮発性メモリを含むとしてよい。不揮発性メモリには、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ストレージデバイス８８４は、ＤＶＤドライブ等の光学ストレージドライブ、および／または、ハードディスクドライブ（ＨＤＤ）を含むとしてよい。
【００８６】
図１１Ｇを参照しつつ説明すると、本開示の教示内容は、モバイル機器８８９のネットワークインターフェース８９４において実装され得る。モバイル機器８８９は、モバイル機器制御モジュール８９０と、電源８９１と、メモリ８９２と、ストレージデバイス８９３と、ネットワークインターフェース８９４と、外部インターフェース８９９とを備えるとしてよい。ネットワークインターフェース８９４がワイヤレスローカルエリアネットワークインターフェースを含む場合、アンテナ（不図示）が設けられるとしてよい。
【００８７】
モバイル機器制御モジュール８９０は、外部インターフェース８９９および／またはネットワークインターフェース８９４から入力信号を受信するとしてよい。外部インターフェース８９９は、ＵＳＢ、赤外線、および／またはイーサネット（登録商標）を含むとしてよい。入力信号は、圧縮されたオーディオおよび／またはビデオを含むとしてよく、ＭＰ３形式に準拠しているとしてよい。さらに、モバイル機器制御モジュール８９０は、キーパッド、タッチパッド、または各ボタンのようなユーザ入力８９６から入力を受信するとしてよい。モバイル機器制御モジュール８９０は、当該入力信号に対して符号化、復号化、フィルタリング、および／またはフォーマッティング等の処理を実行して、出力信号を生成するとしてよい。
【００８８】
モバイル機器制御モジュール８９０は、オーディオ出力８９７に対してオーディオ信号を出力して、ディスプレイ８９８に対してビデオ信号を出力するとしてよい。オーディオ出力８９７は、スピーカおよび／または出力ジャックを含むとしてよい。ディスプレイ８９８は、メニュー、アイコン等を含み得るグラフィカルユーザインターフェースを表示するとしてよい。電源８９１は、モバイル機器８８９の各構成要素に対して電力を供給する。メモリ８９２は、ランダムアクセスメモリ（ＲＡＭ）および／または不揮発性メモリを含むとしてよい。
【００８９】
不揮発性メモリには、任意の適切な種類の半導体メモリまたは固体メモリ、例えばフラッシュメモリ（ＮＡＮＤ型およびＮＯＲ型のフラッシュメモリを含む）、相変化メモリ、磁気ＲＡＭ、および、各メモリセルが３つ以上の状態を取り得る多状態メモリが含まれるとしてよい。ストレージデバイス８９３は、ＤＶＤドライブ等の光学ストレージドライブ、および／または、ハードディスクドライブ（ＨＤＤ）を含むとしてよい。モバイル機器は、携帯情報端末（ＰＤＡ）、メディアプレーヤ、ラップトップコンピュータ、ゲームコンソール、またはその他のモバイルコンピュータデバイスを含むとしてよい。
【００９０】
本開示の教示内容は、広範囲にわたり、さまざまな形式で実装され得る。例えば、上述した１以上の技術は、ほかの種類のワイヤレスネットワーク（例えば、３ＧＰＰ  ＬＴＥおよびＷｉＭＡＸワイヤレスネットワーク）に応用可能としてよい。このため、添付図面、明細書および請求項を参照することによって、当業者にはその他の変形例が明らかとなるので、本開示は、具体例を含むが、真の範囲はそれらの具体例に限定されるべきではない。
【図１】
0005453706.tif 000002
【図２】
0005453706.tif 000003
【図３】
0005453706.tif 000004
【図４】
0005453706.tif 000005
【図５】
0005453706.tif 000006
【図６】
0005453706.tif 000007
【図７】
0005453706.tif 000008
【図８】
0005453706.tif 000009
【図９】
0005453706.tif 000010
【図１０】
0005453706.tif 000011
【図１１Ａ】
0005453706.tif 000012
【図１１Ｂ】
0005453706.tif 000013
【図１１Ｃ】
0005453706.tif 000014
【図１１Ｄ】
0005453706.tif 000015
【図１１Ｅ】
0005453706.tif 000016
【図１１Ｆ】
0005453706.tif 000017
【図１１Ｇ】
0005453706.tif 000018